(57)【特許請求の範囲】
【請求項１】
建物内部の第１の住空間の上部に、その第１の住空間に連なる第２の住空間を区画し、しかも、それら第１および第２の両住空間の境に床材を配置することによって、前記第１および第２の両住空間が作る空間を変化させるに際し、前記床材を前記境が占める面積よりも小さく設定し、その床材を、前記境をなす平面方向に移動可能とし、さらに、次のＡ、ＢおよびＣの各技術的特徴を備える、住空間の変化方法。
Ａ  前記境の両側に互いに並行に走るガイド部材を配置し、そのガイド部材に沿って前記床材を移動させる
Ｂ  前記床材は複数あり、それらの床材のすべてが前記ガイド部材に沿って移動可能である
Ｃ  前記複数の各床材を移動させることによって、前記第１の住空間と第２の住空間とが連なる部分を、立面視においてそれら両住空間の中央、左右、または左あるいは右の一方のいずれかに変化させる
【請求項２】
前記床材の位置を変えることに応じて、前記第１の住空間を区画するための仕切りの位置を変える、請求項１の住空間の変化方法。
【請求項３】
前記第２の住空間が、建物の屋根裏空間である、請求項１の住空間の変化方法。
【請求項４】
前記ガイド部材がレールである、請求項１の住空間の変化方法。
【請求項５】
前記床材が床パネルからなる、請求項１の住空間の変化方法。
【請求項６】
前記第１の住空間に、上端が前記床材が占める部分に位置するよう縦方向の仕切りを配置し、前記第１の住空間を複数の部屋に区画する、請求項２の住空間の変化方法。
【請求項７】
前記床材の端部上、床材が移動する方向の部分に、転落防止のための手摺り、床材どうしを連結するための連結部材、あるいは第２の住空間用の間仕切りのいずれかを取り付けるための取り付け部を備える、請求項１の住空間の変化方法。
【請求項８】
建物内部の第１の住空間の上部に第２の住空間があり、それら第１および第２の住空間が、境に位置する床材によって区画されており、その床材は、床の平面方向に移動し、かつ、前記境上、移動した別の位置で床材として機能する住宅であり、次のＡ’、Ｂ’およびＣ’の各技術的特徴を備える、住宅。
Ａ’  前記境の両側に互いに並行に走るガイド部材があり、そのガイド部材に沿って前記床材が移動可能な構成である
Ｂ’  前記床材は複数あり、それらの床材のすべてが前記ガイド部材に沿って移動可能である
Ｃ’  前記複数の各床材を移動させることによって、前記第１の住空間と第２の住空間とが連なる部分を、立面視においてそれら両住空間の中央、左右、または左あるいは右の一方のいずれかに変化させることができる
【請求項９】
前記床材による第２の住空間の床部分の面積は、前記第１の住空間の床部分の面積よりも小さい、請求項８の住宅。
【請求項１０】
前記第２の住空間の床部分を上方から投影したとき、その投影による像が、前記第１の住空間の床部分の中に入る、請求項９の住宅。
【発明の詳細な説明】
【０００１】
【発明の属する技術分野】
この発明は、建物内部の住空間をその利用形態に合わせて、いろいろと変化させるための技術、特に、上下に連なる二つの住空間が作る空間を、たとえばライフサイクルに合うように任意に変化させて利用可能にするための技術に関する。
【０００２】
【背景の技術】
一般に、戸建て住宅や集合住宅等の建物内部の住空間は、耐力壁や間仕切りなどによって平面方向に複数に区画し、床や天井などによって上下に区画する。平面方向に区画する間仕切りには、固定式のもののほか、襖や障子、さらに壁などの移動式のものがある。移動式のものでは、その移動位置によって、住空間を平面方向に連続させたり区画したりすることができる。そのため、住空間をその利用目的に応じて変化させることができる。しかし、多く場合、住空間内には、柱あるいは耐力壁を含む固定式の壁などがあるため、それらが障害となり、住空間を変化させる自由度は小さい。
【０００３】
そこで、最近においては、１つの住空間を初めから大きく区画しておくという考え方もある。大きな住空間は、大きいが故に、それを区画する自由度も大きい。いわば、住空間自体が、自由空間となる。この自由空間を区画する手法としては、通常の間仕切りのほか、本棚やタンスなどの家具類を用いる方法を採用することができる。居住者は、ライフスタイルや家族の成長、あるいはその他の利用目的に合うように、その自由空間内の区画形態を平面方向に自由に変化させることができる。また、床面積の大きな自由空間は、建物全体からすれば、固定式の間仕切り壁などの数を少なくし、その分、初期の建築コストを低くするメリットをも生み出す。
【０００４】
【発明が解決しようとする課題】
発明者らは、こうした大きな自由空間をさらに有効に利用することについて鋭意検討した。その結果、自由空間をただ単に平面方向に区画するだけでなく、上下方向にも区画することに着目した。上下方向に区画することができれば、自由空間の区画自体の自由度を増すことができる。それによって、住空間を二次元から三次元へと展開し、立体的に利用することができるようになる。
【０００５】
ところで、立体的な区画を達成しようとする場合、区画のための新たな構造物が必要となる。その点、元々存在する構造物、たとえば屋根裏空間、中二階などの床材を利用することができれば好ましい。
【０００６】
この発明は、以上の検討結果を考慮してなされたもので、住空間を立体的により自由に変化させることができるようにすることを目的とする。
また、この発明の他の目的は、元々存在あるいは必要な構造物を利用することによって、住空間の立体的な利用を図ることができるようにすることにある。
この発明のさらに他の目的は、大きな自由空間に適用し、その自由空間に立体的な変化をもたせることができるようにすることにある。
【０００７】
【課題を解決するための手段】
この発明では、実施例の符号を付けて示すように、建物１の内部の第１の住空間１０の上部に、その第１の住空間１０に連なる第２の住空間２０を区画し、しかも、それら第１および第２の両住空間１０、２０の境３０の部分に、その境３０が占める面積よりも小さな床面積をもつ床材５０を配置しておく。そして、その床材５０を、境３０をなす平面方向に移動させることによって、両住空間１０、２０が作る空間を変化させるようにする。
【０００８】
床材５０は、境３０の部分が占める面積よりも小さいため、第１の住空間１０の上部に、部分的に床材５０が存在しない空間、つまり、第１の住空間１０と第２の住空間２０とが部分的に連なる、いわゆる吹き抜けのような天井の高い住空間を形成することができる。また、床材５０を移動させると、床材５０の移動位置に応じて、その両空間１０、２０が連なる空間部分の位置が変化する。したがって、例えば第１の住空間１０の利用目的やそれに応じた区画形態などによって、床材５０の移動位置を必要に応じて任意に変えることにより、第１の住空間１０の一部に好ましい天井高さの住空間を形成することができる。また、このように床材５０の床面積を小さく設定しておくことによって、第１の住空間１０から第２の住空間２０へと上下に拡がる立体的な大きな住空間を形成することができる。したがって、１つの住空間の床面積を大きくしなくて済むので、その分、建築コストも割安にすることができる。
【０００９】
別の観点からすると、この発明では、境３０に位置する床材５０は、床の平面方向に移動し、かつ、その境３０上、移動した別の位置で床材５０として機能する。したがって、床材５０は、移動の前後で同様に床機能を果たすので、床に好適な構造物を選択することができる。その点、移動性を考えると、パネル構造物を利用するのが最適である。
【００１０】
こうした床材５０の移動により、その床材５０上の住空間の位置を変えることができる。したがって、第２の住空間２０を床材１０の移動位置によって変化させることができる。さらに、床材５０は床の平面方向に移動させるようにしているので、比較的容易に、しかも安全に移動可能な構成とすることができる。
【００１１】
床材５０自体は、基本的には単一でも良いが、好ましくは複数、特に２あるいは３、特に好ましくは２にするのが良い。複数にすれば、空間の変化をそれだけ大きくなる。しかし、床材５０の数、つまり、独立して移動できる床材５０の数を余りにも多くすれば、それだけ内部の構造が複雑になるし、利用しにくくなる。そこで、２あるいは３ぐらいが妥当である。特に、２という数は、左右対称の空間構成を得ることができるので、最も好ましい。床材５０を２とした場合、各床材５０を移動させることによって、第１の住空間１０と第２の住空間２０とが連なる部分を、それら両住空間の中央、左右、または左あるいは右の一方のいずれかに変化させることができる。
【００１２】
【発明の実施の形態】
この発明は、戸建て住宅や集合住宅等の建物に広く採用することができる。その場合、第２の住空間２０としては、第１の住空間１０と上下階の関係にある住空間、たとえば第１の住空間１０が一階にある場合、二階の位置にある住空間、あるいは第１の住空間１０の上部に位置する屋根裏空間、中二階の部分の空間などである。
【００１３】
両住空間１０、２０の境３０の部分に配置する床材５０については、境３０の両側に互いに並行に走るガイド部材４０、４０を配置し、そのガイド部材４０、４０に沿って床材５０を移動させるようにするのが好適である。それにより、床材５０の移動を境３０の部分に沿って円滑に、しかも安全に行うことができる。ガイド部材４０をレールで構成し、移動をより円滑にすることができる。
【００１４】
床材５０としては、床としての機能を発揮できる強度を備える構造とする必要があるが、その材料については、木製、金属製、無機材料製、あるいはそれらを組み合わせて製作したものなど、任意である。ただ、製作性や現場での施工性などの点を考慮すると、工業化に適した床パネルを用いるのが好ましい。
【００１５】
第１の住空間１０の床面積は、床材５０による床面積よりも大きい。したがって、この第１の住空間１０に、上端が前記床材５０が占める部分に位置するよう縦方向の仕切り６０を配置し、第１の住空間１０を複数の部屋に区画して利用するのに大変好適である。また、床材５０は移動可能であって、しかも第１の住空間１０の上方に位置しているため、それに応じた安全対策が必要である。そのための手段としては、床材５０の端部上、床材５０が移動する方向の部分に、転落防止のための手摺り５２、床材５０どうしを連結するための連結部材５３、あるいは第２の住空間２０用の間仕切り５４のいずれかを取り付けるための取り付け部５１を備えるようにする。
【００１６】
床材５０による第２の住空間２０の床部分の面積は、第１の住空間１０の床部分の面積よりも小さく設定される。その場合、第２の住空間２０の床部分を上方から投影したとき、その投影による像が、第１の住空間１０の床部分の中に入るような関係にするのが好適である。そうすれば、床材５０を移動可能にする構造が容易になり、しかも、床材５０を、第１の住空間２０の両側の壁や柱などに支持することができる。
【００１７】
【実施例】
以下、この発明の実施例について、添付の図面を参照して説明する。ここに示す例は、家族の成長に合わせて変化させることができる住空間の例として示している。まず、図１に示すように、建物１の内部の第１の住空間１０の上部に第２の住空間２０があり、その第２の住空間２０は、いわゆる屋根裏空間である。第１の住空間１０と第２の住空間２０との境３０の部分には、床材５０を配置している。床材５０は２つあり、それらは境３０に沿って、すなわち床の平面方向に沿ってそれぞれ移動可能である。したがって、２つの床材５０、５０は、図１（ａ）に示す互いに左右に分かれた位置、図１（ｂ）に示す中央に寄せた位置、図１（ｄ）に示す右側あるいは左側に寄せた位置、などに移動させることができる。それによって、第１の住空間１０と第２の住空間２０とが連なる部分を複数の形態に変化させることができる。なお、図１において、符号６０は、第１の住空間１０の間仕切り手段であり、たとえば本棚が好適である。
【００１８】
図２〜図７が同じ空間がいろいろ変化する形態を具体的に示している。それら各図の（ａ）がレイアウト図、（ｂ）が外観図である。第１の住空間１０は、その床面積が１６畳前後の大きな住空間であり、その住空間内には、建築段階においては柱や間仕切り壁などが存在しないようにしている。もちろん、屋根裏空間である第２の住空間２０にも同様な配慮をしている。第２の住空間２０の床となる、各床材５０の床面積は４畳前後であり、併せて８畳前後である。第１の住空間１０は間口３間、奥行き２間半程度の平面長方形であり、その周囲には、奥行き方向の前面側の中央にフラワーボックス２が配置され、左右にミニキッチン３、工作台４が配置され、後面側の中央にインナーバルコニー５、左右にクローセット６、７が配置されている。
【００１９】
各床材５０は、別の図８に示すように、それぞれ２畳大のパネル２枚で構成した木質系の床パネル５０ａ、５０ｂからなり、境３０の両側に配置したレール状のガイド部材４０に案内されて移動可能である。また、各床材５０は、その側面どうしを互いに接合させたときにも、表面が平坦でしかも一様な床として利用しやすいように平面長方形に形成している。そして、その長方形の４辺のうちの２つの長辺部分に、転落防止のための手摺り５２、床パネル５０ａ、５０ｂどうしを連結するための連結部材５３、あるいは第２の住空間２０用の間仕切り５４のいずれかを取り付けるための取り付け部５１を備えている。この取り付け部５１の主体は、床材５０の端部上、長辺部分に沿って間隔をおいて設けた複数の取り付け孔である。したがって、手摺り５２、連結部材５３、間仕切り５４はいずれも取り付け部５１に対する挿入部５２ａ、５３ａ、５４ａを備えている。そして、各挿入部を抜け止め用の止めピンあるいは固定用のナット（いずれも図示せず）などによって、床材５０に対し着脱可能に取り付けることができるよう配慮している。勿論、長辺部分に直交する辺部分（ガイド部材４０上の床パネル５０ａ，５０ｂの端部の辺部分）が開放されているときには、その辺部分にも手摺り５２を設ける。
【００２０】
さて、図２〜図７に戻ると、上下に連なる第１の住空間１０と第２の住空間２０の利用形態として、子供部屋のライフサイクルに適合するように変化させた例を示している。それらのうち、まず、図２では、たとえば小学生以下の大勢の子供が遊んだり宿泊したりできるように、第１の住空間１０を区画せずに、そのまま大きな住空間としている。間仕切りとして用いる本棚６０、６０は、左右の壁１０ａ、１０ｂ側に寄せて配置し、全体として大きな部屋となっている。また、第２の住空間２０については、各床材５０を互いに左右の位置に移動させ、それによって中央部分に第１の住空間１０と第２の住空間２０とが連なる空間部分１２０を形成している。その結果、第１の住空間１０の中央部分に、天井の高い空間が形成される。各床材５０の上は、子供達の屋根裏寝室空間や物置スペースとなる。この利用形態は図１（ａ）に対応している。
【００２１】
図３では、第１の住空間１０において、２つの本棚６０、６０を若干中央寄りに寄せてこれを間仕切りとし、中央部分に広めの共有空間１１、その左右に子供スペース１２、１３を区画した例である。この例では、子供が少し成長し、例えば中学生から高校生の年令に達した段階である。中央部の共有空間１１は、家族のリビングとして好ましく、子供がより小さいうちはその共有空間１１を大きくとる。したがって、各床材５０、５０の移動位置については、共有空間１１の天井を高くできるように、やはり左右に寄せた位置としている。本棚６０、６０には、例えば家族の書籍やアルバムなどを保管し、親とのふれあいのなかで子供が成長していくような住空間とする。この利用形態は図１（ｂ）に対応している。
【００２２】
図４では、本棚６０、６０を、さらに中央に寄せて共有空間１１を小さくし、その代わりに、左右の子供スペース１２、１３を大きくして、プライバシー重視の個室のような区画形態としている。その場合、各床材５０は、中央に寄せて互いに接合し、第２の住空間２０の中央部に８畳前後ある１つの大きな床５００を形成する。それにより、大きくなった子供スペース１２、１３の天井を高くすることができる。ここで、共有空間１１は家族のライブラリーとして利用し、個室が大きくなっても家族の歴史と共に家族のライブラリーが残るようにする。また、この共有空間１１は、それぞれの個室の独立性を高める役割も果たす。各床材５０の上の住空間は、成長した子供達の例えば備品収納ロフトとして利用することができる。この利用形態は図１（ｃ）に対応している。
【００２３】
次に、図５は、家族の成長に併せて変化させる住空間としての他の利用形態を示している。この例では、第１の住空間１０の右側の壁際に一方の本棚６０を配置し、他方の本棚６０を間口方向に間隔をおいて配置し、それによって第１の住空間１０を、一つの大きな子供部屋１５と、それより小さな共有空間１６の二つの部屋に区画している。各床材５０は中央部に寄せ、一体とした床５００としている。子供部屋１５の左側の壁際には二段ベット１５ｂがあり、その直上の天井は床材５０が中央に移動していることで、高くなっている。共有空間１６は、書籍やアルバムなどを収納できる家族のライブラリーとして利用する。そして、この共有空間１６を子供部屋の隣に配置することにより、子供と親との自然なコミュニケーションが図れるように配慮している。ここで、共有空間１６の天井は高くなっているが、必ずしもそのようにする必要はなく、たとえば、各床材５０、５０を右側に寄せ、共有空間１６の上を被うようにしても良い。そのようにすれば、子供部屋１５の天井が高い部分を十分に多くすることが可能になる。この利用形態は、図１（ｅ）に対応する。
【００２４】
図６では、本棚６０、６０を、第１の住空間１０の間口方向に間隔をおいて並べることによって、その第１の住空間１０を３つの部屋に区画している。すなわち、図において左側から父親の趣味の部屋１７、母親の在宅勤務に利用するオフィス１８、さらに子供部屋１９となっている。各床材５０は中央に寄せ、一体の床５００とし、第２の住空間２０を屋根裏寝室として利用するようになっている。子供部屋１９は、子供二人の共有部屋であり、８畳前後のロフトと合わせて１４畳以上に設定している。ここで、各床材５０は右側あるいは左側に移動させてもよい。そうしたときの利用形態は、図１（ｄ）に対応する。
【００２５】
図７では、一方の本棚６０を、第１の住空間１０における左側の壁際に寄せて配置し、他方の本棚６０を中央寄りに配置することによって、２つの部屋に区画している。２つの部屋のうちの１つは家族のリビング１０Ｒであり、もう１つは、たとえば大学生以上の年令に適合する独立性の高い子供部屋１９である。各床材５０は、やはり中央に寄せ、一体の床５００としている。それにより、２つの部屋１０Ｒ、１９のいずれにも天井の高い住空間部分を形成することができる。また、子供部屋１９は、各床材５０上のロフトの部分と合わせて１４畳以上の住空間となり、成人した子供の部屋としても十分に適合する。
【００２６】
なお、以上の実施例においては、第２の住空間２０が屋根裏空間である住宅に適用した例を示したが、例えば２階あるいは３階建て住宅の１階と２階との関係、または２階と３階との関係などにおいても同様に適用することができる。しかし、一般的には屋根裏空間はデッドスペースとなることも考えられるので、住空間の有効利用の点からは、こうした屋根裏空間を利用する形態が大変好ましい。
【００２７】
【発明の効果】
以上のように、この発明によれば、上下に連なる住空間１０、２０の境に位置する床材５０、５０を移動させることによって、上下の両住空間が作る空間を変化させるようにしているので、それら上下の両住空間が作る空間をライフサイクル等に合わせて立体的に自由に変化させることができ、これにより、住空間の有効かつ効率的利用を図ることができる。また、自由に区画可能な住空間として、このように平面方向に加えて上下に拡がりをもつ立体的構成としているので、１つの住空間を平面方向にだけ大きく拡げる必要もなくなり、その結果、標準的な間口や奥行きをもつ住空間の上下の組み合わせで済ますことができるので、建築費の節減も併せて図ることができるというメリットをも得ることができる。
【図面の簡単な説明】
【図１】  この発明による住空間の変化形態を示す概念図である。
【図２】  子供中心の利用形態を示す図である。
【図３】  家族のリビングがある利用形態を示す図である。
【図４】  プライバシーを尊重する利用形態を示す図である。
【図５】  家族のライブラリーがある利用形態を示す図である。
【図６】  親の個室がある利用形態を示す図である。
【図７】  子供が独立した後に適した利用形態を示す図である。
【図８】  境に位置する床材の構造を示す図である。
【符号の説明】
１      建物
１０    第１の住空間
２０    第２の住空間
３０    境
５０    床材
６０    間仕切り（本棚）
【図１】
0003724657.tif 000002
【図２】
0003724657.tif 000003
【図３】
0003724657.tif 000004
【図４】
0003724657.tif 000005
【図５】
0003724657.tif 000006
【図６】
0003724657.tif 000007
【図７】
0003724657.tif 000008
【図８】
0003724657.tif 000009